(57)【要約】  本発明は、駐車場内の通行を制御する方法であって、駐車場を複数の区画に分割するステップ、１つ以上の周辺認識センサによって複数の区画を検出するステップであって、検出に対応する周辺認識センサデータを決定するステップ、周辺認識センサデータに基づいて複数の区画のそれぞれの占有状態を決定するステップ、決定した占有状態に基づいて駐車場内の通行を制御するステップを含む方法に関する。本発明は、さらに駐車場内の通行を制御するための装置、自動車のための駐車場、およびコンピュータプログラムに関する。
2019522283.tif 000002
【特許請求の範囲】
【請求項１】
駐車場（３０１）内の通行を制御する方法であって、
前記駐車場（３０１）を複数の区画（３０９，３１３，３１５）に分割するステップ（１０１）、
１つ以上の周辺認識センサによって複数の前記区画（３０９，３１３，３１５）を検出するステップ（１０３）であって、検出に対応する周辺認識センサデータを決定するステップ（１０３）、
周辺認識センサデータに基づいて複数の前記区画（３０９，３１３，３１５）のそれぞれの占有状態を決定するステップ（１０５）、
決定した占有状態に基づいて前記駐車場（３０１）内の通行を制御するステップ（１０７）
を含む、駐車場（３０１）内の通行を制御する方法。
【請求項２】
請求項１に記載の方法において、
周辺認識センサデータに基づいて複数の前記区画（３０９，３１３，３１５）のうちの１つ以上の区画のそれぞれの占有状態を予測し、さらに予測されたそれぞれの占有状態に基づいて通行を制御する、方法。
【請求項３】
請求項１または２に記載の方法において、
１つ以上の周辺認識センサが、前記駐車場（３０１）内に位置する自動車内の１つ以上の周辺認識センサおよび駐車場（３０１）の１つ以上の周辺認識センサの少なくとも一方を含む、方法。
【請求項４】
請求項１から３までのいずれか１項に記載の方法において、
さらに１つ以上の前記区画（３０９，３１３，３１５）のそれぞれの占有状態履歴に基づいて通行を制御し、占有状態履歴が、過去におけるそれぞれの前記区画（３０９，３１３，３１５）の占有状態を示す、方法。
【請求項５】
請求項１から４までのいずれか１項に記載の方法において、
１つ以上のパラメータを使用せずに通行の制御を行い、該１つ以上のパラメータは、メタデータ、特に検出された自動車の高さ、幅、長さ、および種類の少なくとも１つ、検出された物体の種類、検出された２つの物体の間の間隔である、方法。
【請求項６】
請求項１から５までのいずれか１項に記載の方法において、
前記区画（３０９，３１３，３１５）のそれぞれの占有状態のみに基づいて通行を制御する、方法。
【請求項７】
請求項１から６までのいずれか１項に記載の方法において、
複数の前記区画（３０９，３１３，３１５）のうちの１つ以上の区画（３１３）が、それぞれ駐車場（３０１）のレーン（３１１）の幅を備える、方法。
【請求項８】
請求項１から７までのいずれか１項に記載の方法において、
複数の前記区画（３０９，３１３，３１５）のうちの１つ以上の区画（３０９）がそれぞれ１つの駐車スペース（３０７）、特に駐車帯に対応している、方法。
【請求項９】
請求項１から８までのいずれか１項に記載の方法において、
前記区画（３０９，３１３，３１５）が、長方形、正方形、円形、楕円形のいずれかの形状を備える、方法。
【請求項１０】
請求項１から９までのいずれか１項に記載の方法において、
１つ以上のパラメータに依存して前記区画（３０９，３１３，３１５）のそれぞれの大きさを選択し、該１つ以上のパラメータは、周辺認識センサの数、１つ以上の周辺認識センサの検出精度、検出された物体の物体速度である、方法。
【請求項１１】
請求項１から１０までのいずれか１項に記載の方法において、
通行の制御が、１つ以上の動作を含み、該１つ以上の動作は、自動車の遠隔制御、自動車によって自立的に走行されるべき目標軌道を決定し決定した目標軌道を自動車に送信すること、前記駐車場（３０１）の信号発生器および遮断機の少なくとも一方の制御、駐車場（３０１）内の開始位置から前記駐車場（３０１）内の目標位置まで運転者なしに自動車の移送を行うための開始時間を決定すること、である、方法。
【請求項１２】
駐車場（３０１）内の通行を制御するための装置（２０１）であって、装置（２０１）が請求項１から１１までのいずれか１項に記載の方法を実施するように構成された装置。
【請求項１３】
請求項１２に記載の装置（２０１）を含む自動車のための駐車場（３０１）。
【請求項１４】
コンピュータプログラムであって、該コンピュータプログラムがコンピュータで実施された場合に請求項１から１１までのいずれか１項に記載の方法を実施するためのプログラムコードを含むコンピュータプログラム。
【発明の詳細な説明】
【技術分野】
【０００１】
本発明は、駐車場内の通行を制御する方法に関する。本発明は、さらに駐車場内の通行を制御するための装置に関する。本発明は、さらに自動車のための駐車場に関する。本発明は、コンピュータプログラムに関する。
【背景技術】
【０００２】
ドイツ連邦共和国特許出願公開第１０２０１３２１１１２６号明細書は、車両の周辺をモデル化する方法を示している。周辺は、例えば立体駐車場であってもよい。
【０００３】
ドイツ連邦共和国特許出願公開第１０２０１２２２２５６２号明細書は、管理駐車平面において開始位置から目標位置まで車両を移送するためのシステムを示している。車両は、移送時には運転者なしに走行する。
【０００４】
駐車場内において運転者なしに走行する車両および手動で走行する車両の両方が同時に走行している場合には、対応する通行を効率的に制御する必要がある。
【先行技術文献】
【特許文献】
【０００５】
【特許文献１】ドイツ連邦共和国特許出願公開第１０２０１３２１１１２６号明細書
【特許文献２】ドイツ連邦共和国特許出願公開第１０２０１２２２２５６２号明細書
【発明の概要】
【発明が解決しようとする課題】
【０００６】
本発明の基礎をなす課題は、駐車場内の通行を効率的に制御するためのコンセプトを提供することである。
【課題を解決するための手段】
【０００７】
この課題は、独立請求項のそれぞれの対象によって解決される。本発明の有利な構成がそれぞれの従属請求項の対象である。
【０００８】
一態様によれば、駐車場内の通行を制御する方法であって、
駐車場を複数の区画に分割するステップ、
１つ以上の周辺認識センサによって複数の区画を検出するステップであって、検出に対応する周辺認識センサデータを決定するステップ、
周辺認識センサデータに基づいて複数の区画のそれぞれの占有状態を決定するステップ、
決定した占有状態に基づいて駐車場内の通行を制御するステップ、
を含む方法が提供される。
【０００９】
別の一態様によれば、駐車場内の通行を制御するための装置が提供され、装置は駐車場内の通行を制御する方法を実施するように構成されている。
【００１０】
別の一態様によれば、自動車のための駐車場が提供され、駐車場は、駐車場内の通行を制御するための装置を含む。
【００１１】
別の一態様によれば、コンピュータプログラムであって、このコンピュータプログラムがコンピュータで実施された場合に駐車場内の通行を制御する方法を実施するためのプログラムコードを含むコンピュータプログラムが提案される。
【００１２】
本発明は、駐車場を複数の区画に分割し、通行の参加者がどこに位置するのかまで駐車場の区画のそれぞれの占有状態を効率的に監視することができ、通行を制御するための基礎として監視を利用することができることによって上記課題を解決することができるという認識に基づいている。
【００１３】
特に、区画に分割することにより、特に区画を効率的に監視することができるという技術的利点が得られる。物体が区画から離れるか、または区画に関わるか、もしくは区画を通行するかを検出するためには、例えば光電センサによって、例えば区画の縁部を検出すれば十分である。
【００１４】
さらに区画に分割することにより、区画の方が自動車の周囲の範囲全体を監視するよりも一般に容易に監視できるという利点が得られる。例えば光電センサによって、区画全体の代わりに、区画の境界のみを監視すれば十分な場合もある。したがって、区画を監視するために、間隔を測定するセンサ、例えばレーダセンサまたは超音波センサだけでなく、他のセンサ、ここでは例えば光電センサを使用することができる。
【００１５】
さらに区画ユニット内で不可欠な計算を行うことができ、物体と自動車と間隔は必ずしも必要とされない。
【００１６】
本発明の範囲では駐車場は駐車平面と呼ぶこともでき、自動車を止めておく平面としての役割を果たすことができる。したがって、駐車場は、特に複数の駐車スペース（私有地の駐車場の場合）を有する関連した平面または顧客駐車場（公有地の駐車場の場合）を形成する。駐車場は、一実施形態によれば立体駐車場として形成されている。駐車場は、一実施形態によればガレージとして形成されている。
【００１７】
一実施形態によれば、周辺認識センサデータに基づいて複数の区画のうちの１つ以上の区画のそれぞれの占有状態が予測され、さらに予測されたそれぞれの占有状態に基づいて通行が制御される。
【００１８】
これにより、特に、将来の占有状態のための予想（予測）が通行制御のための基礎として使用される場合に通行を効率的に制御することができるという技術的な利点がもたらされる。
【００１９】
予測は、一実施形態によれば、周辺認識センサによって検出された物体の移動が予測されることを含む。例えば、予測は、周辺認識センサによって検出された物体の移動特性が作成または決定されることを含む。
【００２０】
すなわち、特に物体の移動が所定時間にわたって予測される。
【００２１】
例えば、予測は、現在は占有されている特定の区画が、予測に基づいて決定された時間、例えば３０秒以内に空くという情報が出されることを含む。
【００２２】
この情報に基づいて、一実施形態によれば、通行制御、すなわち通行の制御が行われる。
【００２３】
すなわち、特に、１つ以上の区画のそれぞれの占有状態の予測は、一実施形態によれば、区画が現在は占有されている場合にこの区画がいつ再び空くかが決定されることを含む。この情報、すなわち特に現在は占有されている区画が再び空く時点が、特に通行を制御するために使用される。
【００２４】
すなわち、特に、１つ以上の区画のそれぞれの占有状態の予測は、一実施形態によれば、区画が現在は空いている場合にこの区画がいつ再び占有されるかが決定されることを含む。この情報、すなわち特に現在は空いている区画が再び占有される時点が、特に通行を制御するために使用される。
【００２５】
一実施形態によれば、１つ以上の周辺認識センサは、駐車場内に位置する自動車内の１つ以上の周辺認識センサおよび／または駐車場の１つ以上の周辺認識センサを含むように構成されている。
【００２６】
これにより、特に区画を効率的に監視できるという技術的な利点がもたらされる。
【００２７】
すなわち、特に駐車場内に位置する自動車の１つ以上の周辺センサによって、例えば複数の区画のうちの１つ以上の区画が検出または監視される。このような自動車は、例えば止められている、すなわち、特に駐車している自動車か、または、例えば駐車場内を走行している自動車である。駐車場内を走行する自動車は、例えば人間の運転者によって運転される自動車または運転者なしに走行する自動車、例えば遠隔制御される自動車、または自律走行自動車である。
【００２８】
すなわち、特に１つ以上の区画が、駐車場のインフラストラクチャに属する１つ以上の周辺認識センサによって監視される。
【００２９】
例えば、駐車場のインフラストラクチャ要素、例えば柱、壁または天井に周辺認識センサが配置されている。
【００３０】
特に駐車場の周辺認識センサおよび自動車の周辺認識センサの両方が区画を検出するために使用される場合には、特に区画の正確な検出、特に区画、および最終的には駐車場の正確な監視を行うことができる。
【００３１】
例えば、一実施形態によれば、装置は通信網を介して自動車の１つ以上の周辺認識センサの周辺認識センサデータを受信するように構成されている。すなわち、特に駐車場内に位置する自動車は、１つ以上の自身の周辺認識センサによって自身の周辺を検出し、対応する周辺認識センサデータを装置に送信する。
【００３２】
一実施形態によれば、この装置は、駐車場内に位置する自動車の周辺認識センサデータを受信するように構成された通信インターフェイスを含む。
【００３３】
一実施形態によれば、本発明の範囲では通信網は移動通信網および／またはＷＬＡＮ通信網を含む。
【００３４】
一実施形態では、さらに１つ以上の区画のそれぞれの占有状態履歴に基づいて通行が制御され、占有状態履歴は、過去におけるそれぞれの区画の占有状態を示す。
【００３５】
これにより、特に、通行を効率的に制御することができるという技術的な利点がもたらされる。例えば、それぞれの占有状態履歴に基づいて、ある区画が未来の特定のどの時点で占有されているか、または占有されていないかが決定される。
【００３６】
例えば、一実施形態によれば、それぞれの占有状態履歴に基づいて上述のように予測が行われる。
【００３７】
これにより、特に、予測を効率的に行うことができるという技術的な利点がもたらされる。
【００３８】
区画の占有状態履歴は、特に、過去の特定の時点、すなわち過ぎ去った１つの時点における区画の占有状態を表す。
【００３９】
占有状態履歴に基づいて、例えば、１つ以上の区画のそれぞれの将来の占有状態についての確率が決定される。例えば、占有状態履歴に基づいて、特定の日もしくは特定の時間に特定の区画が特定の確率で占有されていること、または占有されていないことが決定される。例えば、占有状態履歴に基づいて、特定の日もしくは特定の時間に特定の区画に隣接するドアまたは門が特定の確率で開かれること、例えば３分毎に開かれることが決定される。上述のそれぞれの決定の結果は、好ましくは通行を制御するために使用される。
【００４０】
一実施形態によれば、通行の制御は、１つ以上のパラメータを使用せずに行われ、該１つ以上のパラメータは、メタデータ、特に検出された自動車の高さおよび／または幅および／または長さおよび／または種類、検出された物体の種類、検出された２つの物体の間の間隔である。
【００４１】
これにより、特に、計算コストに関して特に効率的に制御を行うことができるという技術的な利点がもたらされる。したがって、例えば計算時間を効率的に節約することができる。
【００４２】
通行の制御に１つ以上のパラメータが使用されないことは、特に通行を制御するためにこれらのパラメータが考慮されないことを意味する。すなわち、これらのパラメータはそれぞれの計算に組み込まれない。
【００４３】
検出される物体の種類は、例えば自動車、歩行者、自転車運転者、または動物である。
【００４４】
すなわち、検出された物体は分類される。
【００４５】
特に、検出された２つの物体の間の間隔を制御のために使用しない場合には、好ましくは対応する間隔の決定も行わなくてよい。このような決定のためには、一般に物体との距離を決定することができる周辺認識センサが不可欠である。このような周辺認識センサは、例えばレーダセンサまたは超音波センサである。
【００４６】
したがって、区画を監視するために、距離測定を可能にしない周辺認識センサを使用することもできる。このような周辺認識センサは、例えば光電センサまたは圧力センサである。したがって、区画を監視するために好ましくは複数の異なるセンサ技術を使用することができる。
【００４７】
一実施形態では、区画のそれぞれの占有状態のみに基づいて通行が制御される。
【００４８】
これにより、特に、通行を効率的に制御することができるという利点がもたらされる。特に、対応する計算時間を効率的に節約することができる。したがって、例えば、好ましくは予期しない出来事にも効率的に短い対応時間で対処することができる。
【００４９】
これにより、例えば衝突リスクを低減することができる。
【００５０】
区画のそれぞれの占有状態のみに基づいて通行が制御されることは、好ましくは区画の占有状態のみを決定すればよいことを可能にする。すなわち、特に一実施形態によれば、周辺認識センサに基づいて区画の占有状態のみが決定される。したがって、区画が占有されているか、または占有されていないかについての情報のみが提供される。しかしながら、例えば区画を占有している物体がどのくらいの大きさの物体であるのか、または区画を占有している物体がどのような種類の物体であるのかについての情報は提供されない。
【００５１】
しかしながら、通行を効率的に制御するためには、原則的に区画の占有状態を認識し、使用すれば十分である。ある区画に特定の寸法をもつ特定の自動車が位置しているという情報は、原則的には通行を効率的に制御するために不可欠ではなく、一般に通行を制御するために不可欠なそれぞれの計算を長く複雑なものにする。
【００５２】
一実施形態によれば、複数の区画のうちの１つ以上の区画は、それぞれ駐車場のレーンの幅を備える。
【００５３】
一実施形態では、複数の区画のうちの１つ以上の区画はそれぞれ０．７５ｍ〜１．５ｍの長さ、特に１ｍの長さを備えている。
【００５４】
これにより、特に駐車場のレーンを効率的に監視でき、さらにこのレーン内の通行を効率的に制御することができるという技術的な利点がもたらされる。
【００５５】
レーンは、例えば境界線、例えば破線の境界線によって周辺から区切られている。
【００５６】
一実施形態によれば、複数の区画のうちの１つ以上の区画はそれぞれ１つの駐車スペース、特に駐車帯に対応している。
【００５７】
これにより、特に、駐車スペース、特に駐車帯を効率的に監視することができるという技術的な利点がもたらされる。
【００５８】
駐車スペース、特に駐車帯は、例えば１つ以上の線、特に破線によって周辺から区切られている。
【００５９】
一実施形態によれば、区画はそれぞれ、長方形、正方形、円形、楕円形のいずれかの形状を備える。
【００６０】
このような形状の多様性によって、特に、駐車場を効率的に分割することができるという利点がもたらされる。
【００６１】
一実施形態では、１つ以上のパラメータに依存して区画のそれぞれの大きさが選択され、該１つ以上のパラメータは、周辺認識センサの数、１つ以上の周辺認識センサの検出精度、検出された物体の物体速度である。
【００６２】
これにより、特に、区画のための大きさを効率的に選択することができるという技術的な利点がもたらされる。
【００６３】
一実施形態によれば、複数の区画は異なるように、または同一に構成されている。したがって、例えば複数の区画は全て同じ大きさを備えている。例えば、複数の区画はそれぞれ異なる大きさを備えている。例えば、複数の区画が部分的に同一であり、部分的に異なっているように構成されている。すなわち、特に幾つかの区画はそれぞれ同じ大きさを備えており、これに対して他の区画はそれぞれ異なる大きさを備えている。
【００６４】
一実施形態によれば、複数の区画はそれぞれ１ｍ×２ｍ、または１ｍ×１ｍの大きさを備えている。例えば、上述のパラメータに依存して１ｍ×２ｍと１ｍ×１ｍとの間で選択される。
【００６５】
これにより、特に駐車場が効率的に通常の自動車寸法に分割されているという技術的な利点がもたらされる。
【００６６】
一実施形態によれば、通行の制御は、１つ以上の動作を含み、該１つ以上の動作は、自動車の遠隔制御、自動車によって自立的に走行されるべき目標軌道を決定し決定した目標軌道を自動車に送信すること、駐車場の信号発生器および／遮断機の制御、駐車場内の開始位置から駐車場内の目標位置まで運転者なしに自動車の移送を行うための開始時間を決定すること、である。
【００６７】
自動車の遠隔制御は、特に、通信網を介して１つ以上の遠隔制御コマンドが自動車に送信されることを含む。
【００６８】
すなわち自動車は、例えば装置によって遠隔制御される。この装置は、例えばこのために自動車を遠隔制御するための遠隔制御機構を含む。
【００６９】
駐車場の信号発生器もしくは遮断機の制御によって、例えば通行の参加者を効率的に停止させるか、または走行を続けるように促すことができる。
【００７０】
信号発生器は、例えば光学的な信号発生器である。信号発生器は、例えば音響的な信号発生器である。信号発生器は、例えば光信号設備を含んでいる。例えば複数の信号発生器が設けられており、これらの信号発生器は、例えば同じように、または異なるように構成されている。
【００７１】
例えば、複数の遮断機が設けられている。遮断機の制御によって、例えば、遮断機が閉鎖されているのか、または開放されていのるかに応じて、通行の参加者を効率的に停止させるか、もしくは走行を続けるように促すことができる。
【００７２】
すなわち、遮断機の制御は、遮断機の閉鎖または開放を含む。
【００７３】
駐車場内の開始位置は、例えば、自動車が続いて自動的に駐車するように、運転者が自動車を止めることができるか、または止めた引き渡し位置を示す。この場合、目標位置は特に駐車場内の駐車位置、すなわち、特に駐車スペース、例えば駐車帯である。
【００７４】
開始位置は、一実施形態によれば、駐車位置、特に駐車スペース、例えば駐車帯である。すなわち、自動車は駐車位置に止められ、駐車位置に沿って、または駐車位置に駐車する。この実施形態では、自動車は運転者なしに駐車位置から引き取り位置、すなわち目標位置までガイドされる。引き取り位置は、駐車場内において、人が自動車を引き取ることができるか、もしくは引き取りたい位置である。
【００７５】
一実施形態によれば、通行の制御は、駐車場内で、例えば上述の開始位置であってもよい開始位置から、例えば上述の目標位置であってもよい目標位置まで運転者なしに自動車を移送することを含む。
【００７６】
この明細書の範囲では、物体は、例えば自動車、歩行者、自転車運転者、または動物である。物体について単数が用いられている場合には、常に複数であるとも読み取られるべきであり、またその逆もいえる。複数の物体は、例えば同じであるか、または異なっている。
【００７７】
一実施形態によれば、方法は装置によって実施される。装置の特徴は、対応する方法の特徴からも同様にもたらされ、またその逆もいえる。すなわち、方法の技術的な機能が、装置の対応する技術的な機能からも同様にもたらされ、またその逆もいえる。
【００７８】
一実施形態によれば、装置は、通信網を介して自動車と通信するように構成された通信インターフェイスを含む。
【００７９】
別の実施形態では、装置は、周辺認識センサに基づいて複数の区画のそれぞれの占有状態を決定するように構成されたプロセッサを含む。
【００８０】
一実施形態によれば、プロセッサは、決定された占有状態に基づいて駐車場内の通行を制御するように構成されている。
【００８１】
一実施形態によれば、プロセッサは、駐車場を複数の区画に分割するように構成されている。
【００８２】
本発明の範囲では、周辺認識センサは、例えば、レーダセンサ、ライダーセンサ、レーザセンサ、ビデオセンサ、特にビデオカメラのビデオセンサ、超音波センサ、磁気センサ、赤外線センサ、圧力センサ、運動センサ、および光電センサ、のいずれか１つの周辺認識センサである。
【００８３】
一実施形態では、区画を検出もしくは監視するために上述の１つ以上の周辺認識センサが設けられている。
【００８４】
一実施形態では、駐車場もしくは装置は、上述の１つ以上の周辺認識センサを含む。
【００８５】
一実施形態によれば、駐車場は光電センサ（光バリア）を含んでいる。一実施形態によれば、駐車場は周辺認識センサとして圧力センサを含む。一実施形態によれば、駐車場は周辺認識センサとして運動センサを含む。
【００８６】
複数の周辺認識センサは、例えば同じように構成されているか、または例えば異なるように構成されている。
【００８７】
一実施形態によれば、物体が１つの区画内に位置している場合には、自動車のアクチュエータ、例えばブレーキが準備状態に移行される。このことは、ブレーキの場合には、例えばブレーキが事前に作動されることを意味する。これにより、反応時間を効率的に低減することができる。
【００８８】
一実施形態によれば、物体が区画内に位置している場合には、区画がこれまで区画を監視していなかった少なくとも１つの別の周辺認識センサによって監視される。これにより、例えば、少なくとも１つの別の周辺認識センサによる監視によって、これまで使用されていた周辺認識センサによる監視を効率的に点検することができるという技術的な利点がもたらされる。
【００８９】
「もしくは」という表現は、特に「および／または」という表現を含む。
【００９０】
次に本発明を好ましい実施例に基づいて詳細に説明する。
【図面の簡単な説明】
【００９１】
【図１】駐車場内の通行を制御する方法を示すフロー図である。
【図２】駐車場内の通行を制御するための装置を示す図である。
【図３】自動車のための駐車場を示す図である。
【発明を実施するための形態】
【００９２】
図１は、駐車場内の通行を制御する方法のフロー図を示す。
【００９３】
本方法は、
駐車場を複数の区画に分割するステップ１０１、
１つ以上の周辺認識センサによって複数の区画を検出するステップ１０３であって、検出に対応する周辺認識センサデータを決定するステップ１０３、
周辺認識センサデータに基づいて複数の区画のそれぞれの占有状態を決定するステップ１０５、
決定した占有状態に基づいて駐車場内の通行を制御するステップ１０７、
を含む。
【００９４】
図２は、駐車場内の通行を制御するための装置２０１を示す。
【００９５】
装置２０１は、駐車場内の通行を制御する方法を実施するように構成されている。
【００９６】
装置２０１は、駐車場を複数の区画に分割するように構成されたプロセッサ２０３を含む。
【００９７】
装置２０１は、複数の区画のうちの１つ以上の区画を検出する、すなわち監視するように構成された複数の周辺認識センサ２０５を含む。周辺認識センサ２０５は、検出に対応する周辺認識センサデータを決定し、プロセッサ２０３に送信するように構成されている。
【００９８】
プロセッサ２０３は、周辺認識センサ２０５の周辺認識センサデータに基づいて複数の区画のそれぞれの占有状態を決定するように構成されている。さらにプロセッサ２０３は、決定された占有状態に基づいて駐車場内の通行を制御するように構成されている。
【００９９】
例えば、プロセッサ２０３は、駐車場内の自動車を遠隔制御するように構成されている。このために、通信網を介して、遠隔制御に対応した遠隔制御コマンドを自動車に送信するように構成された通信インターフェイス２０７が設けられている。
【０１００】
通信インターフェイス２０７は、例えば、駐車場内に位置する通信網を介して１つ以上の自動車の１つ以上の周辺認識センサから周辺認識センサデータを受信するように構成されている。
【０１０１】
通信インターフェイス２０７は、例えば、通信網を介して自動車のための目標軌道を自動車に送信するように構成されている。このような目標軌道は、好ましくはプロセッサ２０３によって決定され、特に自動車が自立的に走行することが望ましい目標軌道である。プロセッサ２０３は、好ましくは決定された占有状態に基づいてこの目標軌道を決定する。
【０１０２】
例えば、プロセッサ２０３は、駐車場内の開始位置から駐車場内の目標位置まで運転者なしに自動車の移送を行うための開始時点または開始時間を決定する。好ましくは、通信インターフェイス２０７は、通信網を介して運転者なしに自動車の移送を開始するために、決定された開始時間に対応する開始信号を自動車に送信するように構成されている。
【０１０３】
図３は、自動車のための駐車場３０１を示す。
【０１０４】
駐車場３０１は、入口３０３および入口３０３に向かい合った出口３０５を含む。
【０１０５】
レーン３１１は入口３０３から出口３０５に通じている。レーン３１１は２つのライン３１７，３１９によって周辺から区切られている。
【０１０６】
駐車場３０１は複数の駐車スペース３０７を備える。
【０１０７】
駐車場３０１は、以下のように区画に分割されている。
【０１０８】
駐車スペース３０７の寸法に対応する寸法の複数の区画３０９が設けられている。
【０１０９】
さらに、レーン３１１の幅を備え、０．７５ｍ〜１．５ｍの間の長さを備える区画３１３が設けられている。例えば、これらの区画３１３の長さは１ｍである。
【０１１０】
さらに、駐車場３０１の範囲を分割し、レーン３１１および駐車スペース３０７のいずれにも属さない区画３１５が設けられている。
【０１１１】
したがって、駐車場３０１は複数の区画３０９，３１３および３１５に分割されている。
【０１１２】
駐車場３０１は、駐車場内の通行を制御するための装置を含む。このような装置は見やすさを考慮して図３には明確には示していない。
【０１１３】
駐車場３０１内には、区画３０９，３１３，３１５を検出する、すなわち監視するための複数の周辺認識センサが配置されている。これらの周辺認識センサは見やすさを考慮して同様に示していない。
【０１１４】
これに対応して装置（図示せず）のプロセッサは、このような監視に基づいて、区画３０９，３１３，３１５の占有状態を決定し、決定された占有状態に基づいて、上述のように、または後述するように、駐車場３０１内の通行を制御することができる。
【０１１５】
したがって、本発明によるコンセプトは、１つの駐車場を複数の区画に分割し、駐車場内の通行を制御することを意図している。
【０１１６】
すなわち、駐車場の空間、例えば車道および／または駐車スペースが、区域またはグリッドと呼ぶこともできる明確な区画に分割される。すなわち駐車場は、例えばチェス盤状に区画に分割される。
【０１１７】
区画は、例えば１ｍの長さおよびレーンの幅を備える長方形である。区画は、例えば駐車スペース、特に駐車帯である。
【０１１８】
一実施形態によれば、全ての区画は等しい広さを備える。
【０１１９】
別の実施形態では、区画は異なる広さを備える。
【０１２０】
例えば、区画は長方形または正方形である。例えば区画は円形である。
【０１２１】
特に長方形もしくは正方形は、通行を制御するための計算が行われる場合に計算時間を効率的に節約できるという利点を有する。
【０１２２】
したがって本発明によれば、これらの区画は、物体がこれらの区画内に位置しているかどうかについて、連続的にすなわち規則的に監視される。
【０１２３】
駐車場内の通行を計画するためには、すなわち、特に制御するためには、一実施形態によれば、占有状態に関する情報のみが使用される。
【０１２４】
占有状態は、区画が占有されているか、または占有されていないか、すなわち空いているかどうかを示す。
【０１２５】
好ましくは、通行を制御するために、駐車場内の物体の種類または物体の位置は使用されない。特にメタデータは使用されない。メタデータは、例えば自動車の寸法、すなわち大きさおよび／または高さおよび／または長さである。
【０１２６】
一実施形態によれば、区画内の物体の移動特性が決定され、通行を制御するために使用される。すなわち、例えば移動が時間にわたって予測される。例えば、現在は占有されている区画がいつ再び空くのかが決定される。
【０１２７】
すなわち、現在の占有状態（空いているか、または占有されているか）について、この占有状態がいつ所定の確率で変更されるかが決定される。
【０１２８】
他の実施形態では、いつどのような確率で区画が将来的に占有されるのか、または空くのかについての情報を付加的に含む占有状態履歴が通行を制御するために使用される。例えば、このような占有状態履歴は、所定の日、例えば土曜の朝に、駐車場内の所定の区域（所定の区画）に隣接して位置するドアが所定の確率で開けられる、特に所定の頻度で開閉されることを示す。
【０１２９】
本発明によるコンセプトの重要な利点は、例えば物体が存在すること（区画の占有状態）のみを計算すればよく、物体間の間隔および物体の位置を計算する必要がないという意味で、特に計算が簡略化されることである。
【０１３０】
特に、区画を監視するためには、例えば光電センサおよび／または圧力センサなどの多数のセンサ技術を使用することができる。
【図１】
2019522283.tif 000003
【図２】
2019522283.tif 000004
【図３】
2019522283.tif 000005
【国際調査報告】
2019522283.tif 000006
2019522283.tif 000007
2019522283.tif 000008
2019522283.tif 000009
2019522283.tif 000010
2019522283.tif 000011